(57)【要約】【課題】 １つの発光素子から、できるだけ多くの方向に向けて、明確な発光表示をおこなわせ、 明るい室内や、屋外でも、光っていることが確認できる検知器の表示部を実現すること。【解決手段】透明樹脂で成型されたライトガイドを埋設した表示部を形成し、ライトガイド内部には、空洞あるいは穴を設け、カバー内部に設けた表示灯から発射される光が、このライトガイドに入射し、ライトガイド表面から外部に放射されるまでの過程において、空洞部等の境界で反射あるいは屈折し、１つの表示灯から複数の方向に光が放射される構成とした。【選択図】図３
2005202649.tif 000002
【特許請求の範囲】
【請求項１】
曲面状のカバーの一部に、透明樹脂で成型されたライトガイドを埋設した表示部であって、前記ライトガイド内部には、空洞を設け、カバー内部に設けた表示灯から発射される光が、前記ライトガイドに入射し、ライトガイド表面から外部に放射されるまでの過程において、前記空洞部の境界で反射あるいは屈折し、１つの表示灯から複数の方向に光が放射される構成とした検知器の表示部。
【請求項２】
円柱型のカバーの一部に、略扇形の透明樹脂で成型されたライトガイドを埋設した表示部であって、前記ライトガイドには、扇の要に当たる部分を中心として放射状に形成された複数の長穴を設け、カバー内部に設けた表示灯から発射される光が、前記ライトガイドの要に相当する部分に入射し、ライトガイド表面から外部に放射されるまでの過程において、前記長穴の境界で反射あるいは屈折し、１つの表示灯から複数の方向に光が放射される構成とした検知器の表示部
【発明の詳細な説明】
【技術分野】
【０００１】
本発明は、広範囲に光を放射させる検知器の表示部に関するものであり、１つの発光素子から、できるだけ多くの方向に向けて、明確な発光表示をおこなわせる技術に関するものである。
【背景技術】
【０００２】
侵入者検知器や、火災を検知する機器は、室内の天井などに設置され、その検知動作に応じてＬＥＤ等の表示灯を点灯させるようになっている。室内のどの位置からでも表示灯を確認することができるように、半透明の合成樹脂製の光ガイドを用いた防犯感知器が考え出されている（例えば、特許文献１参照。）。
【特許文献１】特開２０００−３３１２６３号公報
【発明の開示】
【発明が解決しようとする課題】
【０００３】
従来の光ガイドは、半透明の成型品でできており、入射口からの発光ダイオードの光が、光ガイド内を反射しながら進み、光ガイド全体が光って見えることを利用したものである。細長い光ガイドを感知器の形状に合わせて配置することにより、広範囲に向けた表示をおこなうことが可能であるが、全体がぼんやり明るくなるだけであり、明るい室内や、屋外では、光っていることが確認しにくいといった問題がある。
【課題を解決するための手段】
【０００４】
本発明は、透明樹脂で成型されたライトガイドを埋設した表示部を形成し、ライトガイド内部には、空洞あるいは穴を設け、カバー内部に設けた表示灯から発射される光が、このライトガイドに入射し、ライトガイド表面から外部に放射されるまでの過程において、空洞部等の境界で反射あるいは屈折し、１つの表示灯から複数の方向に光が放射される構成としたものである。
【発明の効果】
【０００５】
透明樹脂で成型されたライトガイド内に、空洞あるいは穴を設け、これらの部分を通過する際に発生する光の屈折及び臨界反射を利用しＬＥＤの光束を複数の光束に分割して配光したものであり、正面及び左右９０度の３方向を重点に配光し、残りをその他の方向に配光するといった形が実現され、広範囲に光を放射する表示部が実現される。また、必要な方向に重点的に配光することができるため、配光方向では充分な光度を得ることができ、屋外や明るい室内に設置する侵入者検知器においても採用することができる。ドーム型や、円柱型のカバーの曲面に沿った透明なライトガイドが実現されるため、ＬＥＤを突出させて取り付けたり、カバーの色とは異なる半透明の光ガイドを取り付けたりするときよりも、外観デザインをスッキリさせることができる。ライトガイドは、樹脂成型部品で構成することができ、コスト面でも有利である。
【発明を実施するための最良の形態】
【０００６】
図１は、本発明の表示部を採用した検知器のカバーの外観斜視図であり、図２は、検知器の本体の外観斜視図である。カバー２には、ライトガイド１と半円柱状のフレネルレンズ３が取り付けられている。本体４には、光学系ユニット５及び光学系ユニット６が左右９０度（１８０度）回転自在な状態で支持されており、上部には表示用ＬＥＤ（図示省略）から発せられた光の導出部１５が設けられている。フレネルレンズ３は、光学系ユニット５及び６に内蔵された赤外線検出素子（図示省略）に焦点を合わせた１３個の縦長のレンズ群により構成されている。赤外線検出素子は、約９０度の視野角を持っており、この赤外線検出素子と、フレネルレンズ３とで、光学系ユニットを向けた方向（赤外線検出素子の視野中心）を中央ゾーンとして９０度の広がりを持つ７本の検知ゾーンが構成されるようになっている。
【０００７】
図３は、本発明の検知器の表示部の拡大断面図である。この図は、検知器本体４にカバー２を装着した状態において、ライトガイド１を含む水平面で切断した状態を示すものである。図３の上方が検知器の正面方向となる。カバー２には、厚さ５ミリメートル程の扇形をした透明樹脂で成型されたライトガイド１が嵌め込まれている。このライトガイド１の、図中上面は、カバー２の曲線に沿った円柱状の表面と一体化されている。下方には、本体４側の、光の導出部１５が至近距離に配置されるようになっており、この部分から光がライトガイドの内部に入射するようになっている。光の導出部１５の下方には、光沢のある金属でできた導光管１４を介して発光ダイオード（ＬＥＤ）１３が配置されている。ＬＥＤ１３は、更に下方のプリント基板（図示省略）に接続され、検知器の検知動作に応じた点灯、消灯の動作をおこなう。
【０００８】
扇形をしたライトガイド１には、その扇の要に当たる部分を中心として放射状に形成された２つの長穴１１、１２が設けられている。ＬＥＤ１３には、指向性の鋭い高輝度タイプのものを採用し、導光管１４を経て光の導出部１５からライトガイド１に入射するようにし、この間の光の損失を最小限に抑えている。ライトガイド１に入射した光のうち、正面方向に進む光は、長穴１１、長穴１２の間を通り、そのまま、ライトガイド１内を直進し、検知器の正面方向に投射される。ライトガイド１に入射した光のうち、正面よりもやや左方向に進む光は、ライトガイドの光入射部に設けた、山形のカット部分で少し左方向に屈折し、長穴１１の左下方の境界面で全反射し、さらにライトガイド１の左上方の光導出時に屈折して左に曲がり、最終的に、検知器の正面方向に対して左９０度の方向に投射される。これとは逆に、ライトガイド１に入射した光のうち、正面よりもやや右方向に進む光は、ライトガイドの光入射部に設けた、山形のカット部分で少し右方向に屈折し、長穴１２の右下方の境界面で全反射し、さらにライトガイド１の右上方の光導出時に屈折して右に曲がり、最終的に、検知器の正面方向に対して右９０度の方向に投射される。
【０００９】
以上に述べた３つの方向の、中間の方向に入射する光は、長穴１１、長穴１２の中央に向いた境界面で全反射し、さらに光導出時に屈折して、それぞれ、検知器の正面方向に対して左右９０度の方向よりも浅い角度の方向に進む。そのほか、長穴１１、長穴１２の境界面で全反射せずに通過する光が、屈折及び反射して、最終的に、前記５方向以外の方向に進み、検知器から投射される。
【００１０】
以上の構成を備えた検知器の表示部によれば、ライトガイドの表面から、１８０度の方向に、検知動作を知らせるＬＥＤの光が投射されるので、光学系ユニット５及び光学系ユニット６が、左右９０度（１８０度）どの方向に向けられても、形成される検知ゾーン内を人間が歩行し、すべての方向から、検知器の検知動作を確認することができる。本発明の検知器の表示部を、日中の太陽光の降り注ぐ屋外にてテストしたところ、検知器から１０メートル離れた場所からでも、充分に視認可能であった。
【００１１】
以上は、円柱型のカバーの一部に、略扇形の透明樹脂で成型されたライトガイドを埋設した表示部に関するものであるが、曲面状、例えばドーム状のカバーの一部に、透明樹脂で成型されたライトガイドを埋設した表示部を設け、このライトガイド内部に、気泡を形成させるなどの手法により空洞を設けても、同様の原理により、放射状にＬＥＤの光を投射する表示部が実現される。つまり、カバー内部に設けた表示灯から発射される光が、このライトガイドに入射し、ライトガイド表面から外部に放射されるまでの過程において、この空洞部の境界で反射あるいは屈折し、１つの表示灯から複数の方向に光が放射される構成となるのである。ライトガイドに形成させる空洞や穴の形状を工夫することにより、必要な方向へ向けて重点的に光を配光する表示部が実現され、侵入者検知器や火災検知器をはじめとしたあらゆる装置の表示部の構成として本発明は有効である。
【図面の簡単な説明】
【００１２】
【図１】本発明の表示部を採用した検知器のカバーの外観斜視図である。
【図２】検知器の本体の外観斜視図である。
【図３】本発明の検知器の表示部の拡大断面図である。
【符号の説明】
【００１３】
１・・・ライトガイド
１１・・・長穴
１２・・・長穴
１３・・・ＬＥＤ
１４・・・導光管
１５・・・光の導出部
２・・・カバー
３・・・フレネルレンズ
４・・・本体
５・・・光学系ユニット
６・・・光学系ユニット
【図１】
2005202649.tif 000003
【図２】
2005202649.tif 000004
【図３】
2005202649.tif 000005